(57)【特許請求の範囲】
【請求項１】
一次電池または二次電池を含む電源部を備える携帯端末であって、
読み取り対象物に付されたＲＦＩＤタグから電波又は電磁界を介して情報を読み取る読取部と、
ユーザによる指示入力に応じて、前記読み取り対象物までの距離を取得する測距部と、
前記測距部により取得された前記読み取り対象物までの距離が前記読取部による情報を読み取り可能な距離であるか否かを判別し、読み取り可能な距離でない場合に、前記読取部から電波又は電磁界を出力せず、読み取り可能な距離である場合に、前記読取部から電波又は電磁界を出力して情報を読み取らせる制御部と、
前記制御部による情報読み取りが成功したか否か及び前記読取動作の継続が前記ユーザにより指示されているか否かを判別し、前記制御部による情報読み取りが成功せず且つ前記読取動作の継続が前記ユーザにより指示されている場合は、前記測距部の処理と前記制御部の処理とを繰り返し行わせる判別部と、
を備える携帯端末。
【請求項２】
前記測距部は、オートフォーカス機能を有するイメージスキャナであり、前記読み取り対象物に付されたシンボルに合焦して当該シンボルを読み取り、当該合焦したシンボルの読み取り対象物までの焦点距離を取得する請求項１に記載の携帯端末。
【請求項３】
前記イメージスキャナ及び前記読取部で共通の読み取りの実行指示入力を受け付ける操作部を備え、
前記制御部は、前記操作部を介する前記イメージスキャナ及び前記読取部の読み取りの実行指示入力に応じて、前記イメージスキャナにシンボルを読み取らせるとともに、当該イメージスキャナにより取得された距離に応じて、前記読取部から電波又は電磁界を出力して情報を読み取らせる請求項２に記載の携帯端末。
【請求項４】
前記測距部は、赤外線を出力して前記読み取り対象物までの距離を取得する請求項１に記載の携帯端末。
【請求項５】
一次電池または二次電池を含む電源部を備える携帯端末のコンピュータを、
読み取り対象物に付されたＲＦＩＤタグから電波又は電磁界を介して情報を読み取る読取部、
ユーザによる指示入力に応じて、前記読み取り対象物までの距離を取得する測距部、
前記測距部により取得された前記読み取り対象物までの距離が前記読取部による情報を読み取り可能な距離であるか否かを判別し、読み取り可能な距離でない場合に、前記読取部から電波又は電磁界を出力せず、読み取り可能な距離である場合に、前記読取部から電波又は電磁界を出力して情報を読み取らせる制御部、
前記制御部による情報読み取りが成功したか否か及び前記読取動作の継続が前記ユーザにより指示されているか否かを判別し、前記制御部による情報読み取りが成功せず且つ前記読取動作の継続が前記ユーザにより指示されている場合は、前記測距部の処理と前記制御部の処理とを繰り返し行わせる判別部、
として機能させるためのプログラム。
【発明の詳細な説明】
【技術分野】
【０００１】
本発明は、携帯端末及びプログラムに関する。
【背景技術】
【０００２】
従来、２次元のイメージスキャナを備え、当該イメージスキャナによるシンボルの情報読み取り機能を有するハンディターミナルやＰＤＡ（Personal Digital Assistant）等の携帯端末が知られている。この携帯端末は、倉庫や、小売店の店舗等で、商品等に付されたシンボルに含まれる識別情報を読み取り各種処理を行う。シンボルとは、１次元バーコードや２次元コードである。また、オートフォーカス機能付きの２次元のイメージスキャナも知られている。
【０００３】
また、シンボル読み取り以外の個体識別技術として、ＲＦＩＤ（Radio Frequency IDentification）がある。ＲＦＩＤのリーダライタ部を備え、当該リーダライタ部によるＲＦＩＤタグの情報読み取り機能を有する携帯端末が知られている。この携帯端末は、電磁界又は電波を用いた近距離無線通信により、商品等に付されたＲＦＩＤタグに記憶されている情報を読み取り各種処理を行う。
【０００４】
さらに、２次元コードの情報読み取り機能と、ＲＦＩＤタグの情報読み取り機能と、を有する携帯端末が知られている（例えば、特許文献１参照）。例えば、読み取り対象の商品に、２次元コード及びＲＦＩＤタグが付されているものとする。この携帯端末は、２次元コードからＵＩＤ（Unique IDentification）を読み取り、そのＵＩＤを含むコマンドでＲＦＩＤタグの情報を読み取る。
【先行技術文献】
【特許文献】
【０００５】
【特許文献１】特開２００８−１１７０７１号公報
【発明の概要】
【発明が解決しようとする課題】
【０００６】
しかし、従来のＲＦＩＤタグの情報読み取り機能を有する携帯端末は、読み取りのトリガキーが押下されると、常に読み取り用の電磁界又は電波を出力するため、ＲＦＩＤタグが携帯端末から適切な距離にない場合に、無駄な電力が消費されていた。
【０００７】
本発明の課題は、ＲＦＩＤタグの情報読み取り時の消費電力を低減することである。
【課題を解決するための手段】
【０００８】
上記課題を解決するために、本発明の携帯端末は、一次電池または二次電池を含む電源部を備える携帯端末であって、読み取り対象物に付されたＲＦＩＤタグから電波又は電磁界を介して情報を読み取る読取部と、ユーザによる指示入力に応じて、前記読み取り対象物までの距離を取得する測距部と、前記測距部により取得された前記読み取り対象物までの距離が前記読取部による情報を読み取り可能な距離であるか否かを判別し、読み取り可能な距離でない場合に、前記読取部から電波又は電磁界を出力せず、読み取り可能な距離である場合に、前記読取部から電波又は電磁界を出力して情報を読み取らせる制御部と、前記制御部による情報読み取りが成功したか否か及び前記読取動作の継続が前記ユーザにより指示されているか否かを判別し、前記制御部による情報読み取りが成功せず且つ前記読取動作の継続が前記ユーザにより指示されている場合は、前記測距部の処理と前記制御部の処理とを繰り返し行わせる判別部と、を備える。
【発明の効果】
【０００９】
本発明によれば、ＲＦＩＤタグの情報読み取り時の消費電力を低減できる。
【図面の簡単な説明】
【００１０】
【図１】本発明の実施の形態の携帯端末の構成を示すブロック図である。
【図２】第１の情報読み取り処理を示すフローチャートである。
【図３】第２の情報読み取り処理を示すフローチャートである。
【図４】第２の変形例の携帯端末の構成を示すブロック図である。
【図５】第３の情報読み取り処理を示すフローチャートである。
【発明を実施するための形態】
【００１１】
以下、添付図面を参照して本発明に係る実施の形態及び第１〜第３の変形例を順に詳細に説明する。なお、本発明は、図示例に限定されるものではない。
【００１２】
（実施の形態）
図１及び図２を参照して、本発明に係る実施の形態を説明する。先ず、図１を参照して、本実施の形態の装置構成を説明する。図１に、本実施の形態の携帯端末１０の構成を示す。
【００１３】
本実施の形態の携帯端末１０は、読み取り対象物としてのバッジ３０Ａに記憶された情報を読み取り管理するハンディターミナルである。バッジ３０Ａは、例えば、ある企業の社員がそれぞれ所有する社員証バッジであるものとする。
【００１４】
図１に示すように、バッジ３０Ａには、ＲＦＩＤタグ３１と、２次元コード３２と、が付されているものとする。ＲＦＩＤタグ３１及び２次元コード３２は、携帯端末１０からの情報の読み取り方向が同じになるバッジ３０Ａの位置に配置されているものとする。また、携帯端末１０からの情報の読み取り時に、携帯端末１０からＲＦＩＤタグ３１及び２次元コード３２までの距離が略同じ長さになるバッジ３０Ａの位置に、ＲＦＩＤタグ３１及び２次元コード３２が配置されているものとする。例えば、ＲＦＩＤタグ３１及び２次元コード３２は、バッジ３０Ａの同じ表面で且つ互いに近傍の位置に配置されている。但し、読み取り対象物は、バッジ３０Ａに限定されるものではない。
【００１５】
ＲＦＩＤタグ３１は、電波方式のＲＦＩＤタグであるものとする。ＲＦＩＤタグ３１は、アンテナを含む通信部と、制御部と、ＥＥＰＲＯＭ（Electrically Erasable Programmable Read Only Memory）と、を備える。ＲＦＩＤタグ３１において、制御部は、通信部により電波を介して携帯端末１０と無線通信を行い、受信した携帯端末１０からの読み取り要求に応じてＥＥＰＲＯＭに記憶されているデータを読み出して携帯端末１０に送信する。また、ＲＦＩＤタグ３１の制御部は、携帯端末１０から受信したデータをＥＥＰＲＯＭに書き込み又は書き換える。
【００１６】
ＲＦＩＤタグ３１のＥＥＰＲＯＭには、ＲＦＩＤタグ３１の個体識別情報が記憶されているものとする。また、ＲＦＩＤタグ３１は、携帯端末１０からの電波により電力を得るパッシブ型のＲＦＩＤタグ（パッシブタグ）とする。しかし、ＲＦＩＤタグ３１が、電源部を有し、電源部の電力により電波を出力するアクティブ型のＲＦＩＤタグ（アクティブタグ）としてもよい。
【００１７】
２次元コード３２は、２次元のマトリクスコード又はスタックコードのシンボルである。２次元コード３２のイメージには、ＲＦＩＤタグ３１の個体識別情報がコード化されて含まれているものとする。
【００１８】
つまり、ＲＦＩＤタグ３１及び２次元コード３２に、同じ個体識別情報が含まれており、いずれか一方が壊れて情報読み取りができなくても、もう一方から個体識別情報を読み取ることができる。例えば、ＲＦＩＤタグ３１が壊れている場合に、２次元コード３２から個体識別情報を読み取ればよい。また、２次元コード３２が、その表面の黒部分が削れていたり、その表面に汚れがついて読み取りができない場合に、ＲＦＩＤタグ３１から個体識別情報を読み取ればよい。
【００１９】
携帯端末１０は、制御部としてのＣＰＵ（Central Processing Unit）１１と、操作部１２と、ＲＡＭ（Random Access Memory）１３と、表示部１４と、ＲＯＭ１５と、無線通信部１６と、フラッシュメモリ１７と、読取部としてのＲＦＩＤリーダライタ部１８と、測距部としてのイメージスキャナ１９と、電源部２０と、を備える。電源部２０を除く携帯端末１０の各部は、バス２１を介して互いに接続されている。
【００２０】
ＣＰＵ１１は、携帯端末１０の各部を制御する。ＣＰＵ１１は、各種プログラムのうち指定されたプログラムをＲＯＭ１５から読み出してＲＡＭ１３に展開し、展開されたプログラムとの協働で各種処理を実行する。
【００２１】
ＣＰＵ１１は、第１の情報読み取りプログラム１５１に従い、イメージスキャナ１９で合焦による読み取り対象物（バッジ３０Ａ、２次元コード３２）までの焦点距離ｄを取得し、取得した焦点距離ｄがＲＦＩＤリーダライタ部１８による情報を読み取り可能な距離（ｄ＜Ｄ）であるか否かを判別する。ＣＰＵ１１は、読み取り可能な距離でない場合に、ＲＦＩＤリーダライタ部１８から電波を出力せず、読み取り可能な距離である場合に、ＲＦＩＤリーダライタ部１８から電波を出力して情報を読み取らせる。
【００２２】
操作部１２は、文字入力キー等の各種キーからなるキー群を備え、ユーザからの各キーの押下入力に応じた操作情報をＣＰＵ１１に出力する。操作部１２は、少なくとも、ＲＦＩＤリーダライタ部１８及びイメージスキャナ１９による共通の情報読み取りのトリガキーを含む。
【００２３】
ＲＡＭ１３は、揮発性の半導体メモリであり、各種データ及び各種プログラムを格納するワークエリアを有する。
【００２４】
表示部１４は、ＬＣＤ（Liquid Crystal Display）、ＥＬ（ElectroLuminescent）ディスプレイ等の表示パネルを備える表示部であり、ＣＰＵ１１から入力される表示情報に応じて表示パネルに各種表示を行う。
【００２５】
ＲＯＭ１５は、各種データ及び各種プログラムを記憶する読み出し専用の半導体メモリである。ＲＯＭ１５には、第１の情報読み取りプログラム１５１が記憶されている。
【００２６】
無線通信部１６は、携帯電話通信方式の無線通信部である。無線通信部１６は、アンテナ、変調部、復調部、信号処理部等を備え、基地局と無線通信を行う。無線通信部１６は、送信する情報の信号を、信号処理部で信号処理し、変調部により変調してアンテナから無線電波として基地局に送信する。この基地局は、通信先の機器と通信ネットワークを介して接続されている。また、無線通信部１６は、アンテナにより基地局から受信した無線電波の受信信号を復調部により復調し、信号処理部で信号処理して受信情報を得る。このようにして、無線通信部１６は、基地局を介して、通信先の機器と通信を行う。また、無線通信部１６は、無線ＬＡＮ（Local Area Network）方式の無線通信部とし、アクセスポイントを介して、通信先の機器と通信を行うこととしてもよい。
【００２７】
フラッシュメモリ１７は、情報を読み出し及び書き込み可能に記憶する不揮発性の半導体メモリである。フラッシュメモリ１７には、ＲＦＩＤタグ３１の個体識別情報と、このＲＦＩＤタグ３１を所有する社員のユーザＩＤと、が対応付られたテーブルが記憶されているものとする。
【００２８】
ＲＦＩＤリーダライタ部１８は、ＲＦＩＤタグ３１に記憶されている情報を読み取り及び書き込みする電波方式のリーダライタ部であるものとする。ＲＦＩＤリーダライタ部１８は、ＣＰＵ１１から入力された送信データの電気信号を変調等してアンテナから電波として送信する。ＲＦＩＤタグ３１は、ＲＦＩＤリーダライタ部１８から出力された電波を受信し、またＲＦＩＤリーダライタ部１８に送信するデータを電波として送信する。ＲＦＩＤリーダライタ部１８は、ＲＦＩＤタグ３１から送信された電波をアンテナで受信し、得られた電気信号を復調等してデータを受信する。
【００２９】
イメージスキャナ１９は、２次元コード３２の画像情報を読み取るイメージスキャナである。イメージスキャナ１９は、２次元コード３２までの焦点距離を調整するオートフォーカス機能を有するものとする。イメージスキャナ１９は、焦点レンズ等の光学系、焦点レンズの光軸位置の調整部、撮像素子等を備える。イメージスキャナ１９は、ＣＰＵ１１の制御により、撮像素子により撮像した画像情報のコントラスト等を用いて光学系の焦点レンズの位置を調整して読み取り対象の２次元コード３２に合焦して撮像素子で撮像し、撮像された２次元コード３２の画像情報を取得する。また、イメージスキャナ１９は、２次元コード以外のシンボル（１次元バーコード）を読み取ることもできる。
【００３０】
また、イメージスキャナ１９は、合焦の際の焦点レンズの位置に応じた２次元コード３２までの距離の情報を焦点距離ｄとしてＣＰＵ１１に出力する。なお、イメージスキャナ１９が、焦点レンズの位置を調整して合焦する構成に代えて、印加電圧に応じた形状の変化により焦点位置の調整が可能な液体レンズ等を用いて合焦する構成としてもよい。
【００３１】
また、ＲＦＩＤリーダライタ部１８の通信方向と、イメージスキャナ１９の光軸方向とが、略同じ方向になるように、ＲＦＩＤリーダライタ部１８及びイメージスキャナ１９が、携帯端末１０の筐体に配置されている構成とする。しかし、この構成に限定されるものではなく、同じ位置及び姿勢の携帯端末１０が、ＲＦＩＤリーダライタ部１８によるＲＦＩＤタグ３１の読み取りと、イメージスキャナ１９による２次元コード３２の読み取りと、が行えるように、ＲＦＩＤリーダライタ部１８及びイメージスキャナ１９が、携帯端末１０の筐体に配置されている構成とすればよい。
【００３２】
電源部２０は、リチウム電池等の二次電池であり、携帯端末１０の各部に電源供給を行う。なお、電源部２０は、アルカリ電池等の一次電池でもよい。
【００３３】
次に、図２を参照して、携帯端末１０の動作を説明する。図２に、第１のＲＦＩＤタグ読み取り処理を示す。
【００３４】
携帯端末１０により実行される第１の情報読み取り処理は、バッジ３０Ａに付された２次元コード３２から情報を読み取るとともに、読み取り可能な位置にあるＲＦＩＤタグ３１に電波を出力して情報を読み取る処理である。携帯端末１０において、例えば、操作部１２におけるＲＦＩＤリーダライタ部１８及びイメージスキャナ１９による情報読み取りのトリガキーが押下されたことをトリガとして、ＣＰＵ１１は、ＲＯＭ１５から読み出されて適宜ＲＡＭ１３に展開された第１の情報読み取りプログラム１５１との協働で第１の情報読み取り処理を実行する。
【００３５】
先ず、ＣＰＵ１１は、イメージスキャナ１９を起動する（ステップＳ１１）。そして、ＣＰＵ１１は、ＲＦＩＤリーダライタ部１８を起動する（ステップＳ１２）。そして、ＣＰＵ１１は、イメージスキャナ１９の光学系（焦点レンズ）を２次元コード３２に合焦させ、合焦した焦点レンズの位置情報を取得し、当該位置情報に対応する焦点距離ｄを算出して取得する（ステップＳ１３）。
【００３６】
そして、ＣＰＵ１１は、イメージスキャナ１９に２次元コードを撮像させ、撮像画像情報を取得してデコードを行う（ステップＳ１４）。そして、ＣＰＵ１１は、ステップＳ１４のデコードが成功したか否かを判別する（ステップＳ１５）。デコードが成功した場合（ステップＳ１５；ＹＥＳ）、ＣＰＵ１１は、デコード結果であるイメージスキャナ１９の読み取り結果を表示部１４に表示する（ステップＳ１６）。
【００３７】
そして、ＣＰＵ１１は、ステップＳ１３で取得した焦点距離ｄが、予め設定された所定値Ｄより小さいか否かを判別する（ステップＳ１７）。所定値Ｄは、ＲＦＩＤリーダライタ部１８によるＲＦＩＤタグ３１の読み取りが可能な距離の閾値である。デコードが失敗した場合（ステップＳ１５；ＮＯ）、ステップＳ１７に移行される。
【００３８】
ｄ＜Ｄである場合（ステップＳ１７；ＹＥＳ）、ＲＦＩＤタグ３１がＲＦＩＤリーダライタ部１８から読み取り可能な範囲（距離）にあり、ＣＰＵ１１は、ＲＦＩＤリーダライタ部１８から、ＲＦＩＤタグ３１読み取り要求の電波を出力させる（ステップＳ１８）。そして、ＣＰＵ１１は、ＲＦＩＤリーダライタ部１８によりＲＦＩＤタグ３１に記憶されている読み取り要求に応じた情報（個体識別情報）を読み取る（ステップＳ１９）。そして、ＣＰＵ１１は、ステップＳ１９のＲＦＩＤタグ３１の情報読み取りが成功したか否かを判別する（ステップＳ２０）。
【００３９】
ＲＦＩＤタグ３１の情報読み取りが成功した場合（ステップＳ２０；ＹＥＳ）、ＣＰＵ１１は、ステップＳ１９でのＲＦＩＤタグ３１の読み取り結果を表示部１４に表示する（ステップＳ２１）。そして、ＣＰＵ１１は、ステップＳ１５，Ｓ２０において、ＲＦＩＤタグ３１及びＲＦＩＤリーダライタ部１８の少なくとも一方の情報読み取りが成功したか否かを判別する（ステップＳ２２）。ＲＦＩＤタグ３１及びＲＦＩＤリーダライタ部１８の少なくとも一方の読み取りが成功した場合（ステップＳ２２；ＹＥＳ）、第１の情報読み取り処理が終了する。
【００４０】
ｄ≧Ｄである場合（ステップＳ１７；ＮＯ）、ＲＦＩＤタグ３１がＲＦＩＤリーダライタ部１８から読み取り可能な範囲（距離）になく、ステップＳ２２に移行される。
即ち、ＲＦＩＤタグ３１とＲＦＩＤリーダライタ部１８との距離が離れており、読み取り可能な距離ではない場合は、ＲＦＩＤリーダライタ部１８から電波を出力しない。従って、ＲＦＩＤリーダライタ部１８が読み取り不可能な距離では無駄に電波を出力することがないため、ＲＦＩＤタグの情報読み取り時の消費電力を低減できる。
ＲＦＩＤタグ３１の情報読み取りが失敗した場合（ステップＳ２０；ＮＯ）、ステップＳ２２に移行される。
【００４１】
ＲＦＩＤタグ３１及びＲＦＩＤリーダライタ部１８の読み取りが失敗した場合（ステップＳ２２；ＮＯ）、ＣＰＵ１１は、操作部１２のトリガキーの押下中であるか否かを判別する（ステップＳ２３）。トリガキーの押下中である場合（ステップＳ２３；ＹＥＳ）、ステップＳ１３に移行される。トリガキーの押下中でない場合（ステップＳ２３；ＮＯ）、第１の情報読み取り処理を終了する。
【００４２】
また、第１の情報読み取り処理の終了後、ＣＰＵ１１は、フラッシュメモリ１７に記憶されているテーブルを参照し、ステップＳ１４，Ｓ１９で取得されたＲＦＩＤタグ３１の個体識別情報に対応するユーザＩＤを取得し、表示部１４に表示する。ステップＳ１６，Ｓ２１でユーザＩＤの取得及び表示を行ってもよい。
【００４３】
以上、本実施の形態によれば、携帯端末１０は、イメージスキャナ１９で合焦による読み取り対象物（バッジ３０Ａ、２次元コード３２）までの焦点距離ｄを取得し、取得した焦点距離ｄがＲＦＩＤリーダライタ部１８による情報を読み取り可能な距離（ｄ＜Ｄ）であるか否かを判別する。携帯端末１０は、読み取り可能な距離でない場合に、ＲＦＩＤリーダライタ部１８から電波を出力せず、読み取り可能な距離である場合に、ＲＦＩＤリーダライタ部１８から電波を出力して情報を読み取らせる。このため、ＲＦＩＤリーダライタ部１８による情報読み取りができない距離で電波を出力しないので、ＲＦＩＤタグの情報読み取り時の消費電力を低減できる。
【００４４】
また、イメージスキャナ１９が、合焦により読み取り対象物（バッジ３０Ａ、２次元コード３２）までの距離を取得する。このため、イメージスキャナ１９及びその合焦動作を有効に利用できる。
【００４５】
また、携帯端末１０は、イメージスキャナ１９及びＲＦＩＤリーダライタ部１８で共通の読み取りの実行指示入力を受け付ける１つのトリガキーを操作部１２に備え、このトリガキー押下に応じて、イメージスキャナ１９に２次元コード３２を読み取らせるとともに、イメージスキャナ１９により取得された距離に応じて、ＲＦＩＤリーダライタ部１８から電波を出力して情報を読み取らせる。このため、ＲＦＩＤタグ３１、２次元コード３２の読み取りにおいて、ユーザにとって利便性を高くできるとともに携帯端末１０の操作性を向上できる。
【００４６】
（第１の変形例）
図３を参照して、上記実施の形態の第１の変形例を説明する。図３に、第２の情報読み取り処理を示す。
【００４７】
本変形例では、上記実施の形態の携帯端末１０を用いる。但し、ＲＯＭ１５には、第１の情報読み取りプログラム１５１に代えて、第２の情報読み取りプログラムが記憶されているものとする。
【００４８】
次に、図３を参照して、本変形例における携帯端末１０の動作を説明する。携帯端末１０により実行される第２の情報読み取り処理は、バッジ３０Ａに付された２次元コード３２から情報を読み取るとともに、ＲＦＩＤタグ３１までの距離に応じた電波を出力してＲＦＩＤタグ３１から情報を読み取る処理である。
【００４９】
携帯端末１０において、例えば、操作部１２におけるＲＦＩＤリーダライタ部１８及びイメージスキャナ１９による情報読み取りのトリガキーが押下されたことをトリガとして、ＣＰＵ１１は、ＲＯＭ１５から読み出されて適宜ＲＡＭ１３に展開された第２の情報読み取りプログラムとの協働で第２の情報読み取り処理を実行する。
【００５０】
ステップＳ３１〜Ｓ３６は、図２の第１の情報読み取り処理のステップＳ１１〜Ｓ１６と同様である。そして、ＣＰＵ１１は、ステップＳ３３で取得した焦点距離ｄに応じた送信出力レベルで電波をＲＦＩＤリーダライタ部１８から出力させる（ステップＳ３７）。ステップＳ３７では、焦点距離ｄが短ければ、弱い電波でも通信が可能であるため、焦点距離ｄに応じて通信が可能な小さい送信出力レベルでＲＦＩＤリーダライタ部１８に弱い電波を出力させる。逆に、焦点距離ｄが長ければ、強い電波でなければ通信ができないため、焦点距離ｄに応じて通信が可能な大きい送信出力レベルでＲＦＩＤリーダライタ部１８に強い電波を出力させる。
【００５１】
つまり、焦点距離ｄが短い場合に、ＲＦＩＤリーダライタ部１８に弱い電波を出力させて消費電力を低減する。ステップＳ３８〜Ｓ４２は、図２の第１の情報読み取り処理のステップＳ１９〜Ｓ２３と同様である。
【００５２】
以上、本変形例によれば、携帯端末１０は、イメージスキャナ１９で合焦による読み取り対象物（バッジ３０Ａ、２次元コード３２）までの距離を取得し、取得した距離が短い場合に、ＲＦＩＤリーダライタ部１８から出力する電波を弱くして情報を読み取らせ、前記距離が長い場合に、ＲＦＩＤリーダライタ部１８から出力する電波を強くして情報を読み取らせる。このため、短い距離で弱い電波を出力するので、ＲＦＩＤタグの情報読み取り時の消費電力を低減できるとともに、距離に応じた適切な強さの電波によりＲＦＩＤリーダライタ部１８で情報を確実に読み取ることができる。
【００５３】
（第２の変形例）
図４及び図５を参照して、上記実施の形態の第２の変形例を説明する。図４に、本変形例の携帯端末１０Ａの構成を示す。図５に、第３の情報読み取り処理を示す。
【００５４】
図４を参照して、本変形例の携帯端末１０Ａの構成を説明する。携帯端末１０Ａについては、上記実施の形態の携帯端末１０と同様の部分に同じ符号を付してその説明を省略し、異なる部分を主として説明する。
【００５５】
携帯端末１０Ａは、ＲＦＩＤタグ３１に記憶されている情報を読み取り管理する携帯端末である。バッジ３０Ｂは、ＲＦＩＤタグ３１のみが付されている社員証バッジとする。
【００５６】
携帯端末１０Ａは、ＣＰＵ１１と、操作部１２と、ＲＡＭ１３と、表示部１４と、ＲＯＭ１５と、無線通信部１６と、フラッシュメモリ１７と、ＲＦＩＤリーダライタ部１８と、測距部１９Ａと、電源部２０と、を備える。電源部２０を除く携帯端末１０の各部は、バス２１を介して互いに接続されている。
【００５７】
ＲＯＭ１５には、第３の情報読み取りプログラム１５３が記憶されている。測距部１９Ａは、赤外線を出射して、読み取り対象物（バッジ３０Ｂ）で反射された反射光を受光し、赤外線の出射と受光の時間差に応じた、測距部１９Ａからバッジ３０Ｂまでの距離を算出してＣＰＵ１１に出力する。測距部１９Ａは、赤外線以外を用いた測距部としてもよい。
【００５８】
次に、図５を参照して、本変形例における携帯端末１０Ａの動作を説明する。携帯端末１０Ａにより実行される第３の情報読み取り処理は、バッジ３０Ｂまでの距離を測定し、測定した距離に応じた読み取り可能な位置にあるバッジ３０ＢのＲＦＩＤタグ３１に電波を出力して情報を読み取る処理である。
【００５９】
先ず、ＣＰＵ１１は、測距部１９Ａを起動する（ステップＳ５１）。そして、ＣＰＵ１１は、ＲＦＩＤリーダライタ部１８を起動する（ステップＳ５２）。そして、ＣＰＵ１１は、測距部１９Ａにより、測距部１９Ａから読み取り対象物（バッジ３０Ｂ）までの距離を測定して取得する（ステップＳ５３）。
【００６０】
ステップＳ５４〜Ｓ５８は、図２の第１の情報読み取り処理のステップＳ１７〜Ｓ２１と同様である。ｄ≧Ｄである場合（ステップＳ５４；ＮＯ）、又はＲＦＩＤタグ３１の情報読み取りが失敗した場合（ステップＳ５７；ＮＯ）、ＣＰＵ１１は、操作部１２のトリガキーの押下中であるか否かを判別する（ステップＳ５９）。トリガキーの押下中である場合（ステップＳ５９；ＹＥＳ）、ステップＳ５３に移行される。トリガキーの押下中でない場合（ステップＳ５９；ＮＯ）、第３の情報読み取り処理を終了する。
【００６１】
以上、本変形例によれば、携帯端末１０Ａは、赤外線を用いた測距部１９Ａにより読み取り対象物（バッジ３０Ａ、２次元コード３２）までの距離を取得し、取得した距離がＲＦＩＤリーダライタ部１８による情報を読み取り可能な距離（ｄ＜Ｄ）であるか否かを判別する。携帯端末１０Ａは、読み取り可能な距離でない場合に、ＲＦＩＤリーダライタ部１８から電波を出力せず、読み取り可能な距離である場合に、ＲＦＩＤリーダライタ部１８から電波を出力して情報を読み取らせる。このため、ＲＦＩＤリーダライタ部１８による情報読み取りができない距離で電波を出力しないので、ＲＦＩＤタグの情報読み取り時の消費電力を低減できる。
【００６２】
（第３の変形例）
上記実施の形態の第３の変形例を説明する。本第３の変形例は、図３に示した第１の変形例のように、携帯端末１０が、読み取り対象物（バッジ３０Ａ、２次元コード３２）までの距離を取得し、取得した距離が短い場合に、ＲＦＩＤリーダライタ部１８から出力する電波を弱くして情報を読み取らせ、前記距離が長い場合に、ＲＦＩＤリーダライタ部１８から出力する電波を強くして情報を読み取らせる点は共通する。しかし、読み取り対象物までの距離を測定する方法として、第１の変形例では、イメージスキャナ１９の合焦により距離を測定する方法としたが、本第３の変形例では、赤外線を用いた測距部１９Ａにより読み取り対象物（バッジ３０Ａ、２次元コード３２）までの距離を取得する方法に代える。
【００６３】
即ち、図３のステップＳ３３のように、イメージスキャナ１９が合焦により読み取り対象物（バッジ３０Ａ、２次元コード３２）までの距離を取得するのではなく、図５のステップＳ５３のように、赤外線を用いた測距部１９Ａにより、測距部１９Ａから読み取り対象物（バッジ３０Ｂ）までの距離を測定して取得するようにする。図３のステップＳ３７のように、距離に応じた送信出力レベルで電波をＲＦＩＤリーダライタ部１８から出力させる点は、本第３の変形例は第１の変形例と同様である。
【００６４】
以上の説明では、本発明に係るプログラムのコンピュータ読み取り可能な媒体としてＲＯＭ１５を使用した例を開示したが、この例に限定されない。
その他のコンピュータ読み取り可能な媒体として、フラッシュメモリ等の不揮発性メモリ、ＣＤ−ＲＯＭ等の可搬型記録媒体を適用することが可能である。
また、本発明に係るプログラムのデータを通信回線を介して提供する媒体として、キャリアウエーブ（搬送波）も本発明に適用される。
【００６５】
なお、上記実施の形態及び各変形例における記述は、本発明に係る携帯端末及びプログラムの一例であり、これに限定されるものではない。例えば、上記実施の形態及び各変形例のうちの少なくとも２つを組み合わせる構成としてもよい。
【００６６】
上記実施の形態及び各変形例では、携帯端末１０，１０Ａが、ＲＦＩＤリーダライタ部１８を備えるハンディターミナルである構成としたが、これに限定されるものではない。携帯端末としては、ＰＤＡ、携帯電話機、携帯パーソナルコンピュータ等、他の携帯端末を用いる構成としてもよい。
【００６７】
また、上記実施の形態及び各変形例では、ＲＦＩＤタグ３１に、ＲＦＩＤカード（非接触ＩＣカード）を含める。例えば、ＲＦＩＤタグに、各ユーザが所持する社員証カード、乗車カード、電子マネーカードとしてのＲＦＩＤカードを含める。
【００６８】
また、上記実施の形態及び第１の変形例では、バッジ３０ＡのＲＦＩＤタグ３１及び２次元コード３２から情報を読み取る例を説明したが、これに限定されるものではない。実施の形態及び第１の変形例の構成及び処理をＲＦＩＤタグ及びシンボルのいずれか一方を読み取る構成及び処理に適用できる。例えば、実施の形態及び第１の変形例の携帯端末１０が、第２の変形例のバッジ３０Ｂや、商品に付されたシンボルから情報を読み取ることができる。また、上記実施の形態及び第１の変形例では、イメージスキャナ１９がシンボルとしての１次元バーコードを読み取る構成としてもよい。
【００６９】
また、上記実施の形態及び各変形例では、読み取り対象物がバッジである例を説明したが、これに限定されるものではなく、例えば、店舗に陳列される商品に付加される商品タグ等、他の読み取り対象物に適用する構成としてもよい。
【００７０】
また、上記実施の形態及び各変形例では、ＲＦＩＤタグ３１及びＲＦＩＤリーダライタ部１８が、電波方式のＲＦＩＤタグ及びＲＦＩＤリーダライタ部である構成を説明したが、これに限定されるものではない。ＲＦＩＤタグ３１及びＲＦＩＤリーダライタ部１８が、電磁誘導方式のＲＦＩＤタグ及びＲＦＩＤリーダライタ部である構成としてもよい。
【００７１】
また、上記実施の形態及び変形例における携帯端末１０，１０Ａの各構成要素の細部構成及び細部動作に関しては、本発明の趣旨を逸脱することのない範囲で適宜変更可能であることは勿論である。
【００７２】
本発明の実施の形態及び変形例を説明したが、本発明の範囲は、上述の実施の形態及び変形例に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
読み取り対象物に付されたＲＦＩＤタグから電波又は電磁界を介して情報を読み取る読取部と、
前記読み取り対象物までの距離を取得する測距部と、
前記測距部により取得された前記読み取り対象物までの距離が前記読取部による情報を読み取り可能な距離であるか否かを判別し、読み取り可能な距離でない場合に、前記読取部から電波又は電磁界を出力せず、読み取り可能な距離である場合に、前記読取部から電波又は電磁界を出力して情報を読み取らせる制御部と、を備える携帯端末。
＜請求項２＞
読み取り対象物に付されたＲＦＩＤタグから電波又は電磁界を介して情報を読み取る読取部と、
前記読み取り対象物までの距離を取得する測距部と、
前記測距部により取得された前記読み取り対象物までの距離が短い場合に、当該距離に応じて前記読取部から出力する電波又は電磁界を弱くして情報を読み取らせ、前記距離が長い場合に、当該距離に応じて前記読取部から出力する電波又は電磁界を強くして情報を読み取らせる制御部と、を備える携帯端末。
＜請求項３＞
前記測距部は、オートフォーカス機能を有するイメージスキャナであり、前記読み取り対象物に付されたシンボルに合焦して当該シンボルを読み取り、当該合焦したシンボルの読み取り対象物までの焦点距離を取得する請求項１又は２に記載の携帯端末。
＜請求項４＞
前記イメージスキャナ及び前記読取部で共通の読み取りの実行指示入力を受け付ける操作部を備え、
前記制御部は、前記操作部を介する前記イメージスキャナ及び前記読取部の読み取りの実行指示入力に応じて、前記イメージスキャナにシンボルを読み取らせるとともに、当該イメージスキャナにより取得された距離に応じて、前記読取部から電波又は電磁界を出力して情報を読み取らせる請求項３に記載の携帯端末。
＜請求項５＞
前記測距部は、赤外線を出力して前記読み取り対象物までの距離を取得する請求項１又は２に記載の携帯端末。
＜請求項６＞
コンピュータを、
読み取り対象物に付されたＲＦＩＤタグから電波又は電磁界を介して情報を読み取る読取部、
前記読み取り対象物までの距離を取得する測距部、
前記測距部により取得された前記読み取り対象物までの距離が前記読取部による情報を読み取り可能な距離であるか否かを判別し、読み取り可能な距離でない場合に、前記読取部から電波又は電磁界を出力せず、読み取り可能な距離である場合に、前記読取部から電波又は電磁界を出力して情報を読み取らせる制御部、
として機能させるためのプログラム。
＜請求項７＞
コンピュータを、
読み取り対象物に付されたＲＦＩＤタグから電波又は電磁界を介して情報を読み取る読取部、
前記読み取り対象物までの距離を取得する測距部、
前記測距部により取得された前記読み取り対象物までの距離が短い場合に、当該距離に応じて前記読取部から出力する電波又は電磁界を弱くして情報を読み取らせ、前記距離が長い場合に、当該距離に応じて前記読取部から出力する電波又は電磁界を強くして情報を読み取らせる制御部、
として機能させるためのプログラム。
【符号の説明】
【００７３】
１０，１０Ａ  携帯端末
１１  ＣＰＵ
１２  操作部
１３  ＲＡＭ
１４  表示部
１５  ＲＯＭ
１６  無線通信部
１７  フラッシュメモリ
１８  ＲＦＩＤリーダライタ部
１９  イメージスキャナ
１９Ａ  距離測定部
２０  電源部
２１  バス
３０Ａ，３０Ｂ  バッジ
３１  ＲＦＩＤタグ
３２  ２次元コード
【図１】
0005673208.tif 000002
【図２】
0005673208.tif 000003
【図３】
0005673208.tif 000004
【図４】
0005673208.tif 000005
【図５】
0005673208.tif 000006